(57)【要約】【課題】メニューをその映像ファイルの再生前後に表示する規格に従う映像ファイルと他の映像ファイルとを共存して再生する場合に、この規格に従いつつ、使い勝手のよい再生装置を提供する。【解決手段】  再生装置１は、ＯＳＤ合成部５、出力部６、操作部７、制御部９を備える。ＯＳＤ合成部５は、ＯＳＤを合成する。出力部６は、映像信号、音声信号を出力する。制御部９は、管理処理９１、メニュー出力処理９２、再生処理９３の各プログラムをＲＯＭ内に記憶している。管理処理９１は、予め、第１映像ファイル（ＤＭＦファイル）、第２映像ファイル（ＤＭＦファイル以外のファイル）を振り分けて管理する。メニュー出力処理９２では、第１映像ファイル、第２映像ファイル毎に別々の第１、第２メニューを出力する。第１映像ファイルの再生終了時に第１メニューを出力し、第１メニューの出力時に、所定の操作を受けて第２メニューへ切り換える。  【選択図】図２
2009105743.tif 000002
【特許請求の範囲】
【請求項１】
メニューを映像ファイルの再生前後に表示する規格に従う第１映像ファイルと、前記第１映像ファイル以外の第２映像ファイルと、をいずれも再生する再生部を備えた再生装置において、
映像を記憶する記録媒体を検索して、前記第１映像ファイルと前記第２映像ファイルとを振り分けて予め管理するファイル管理部と、
前記ファイル管理部のファイルの管理に基づき、前記第１映像ファイルの選択を受け付ける第１メニューと、前記第２映像ファイルの選択を受け付ける第２メニューと、を出力するメニュー出力部と、を備え、
前記メニュー出力部は、前記第１メニューを出力している間には、所定の操作を受けて、前記第２メニューの出力へのメニュー切換を行う一方、前記再生部が第１映像ファイルを再生している間には、前記メニュー切換をしない再生装置。
【請求項２】
前記メニュー出力部は、前記第１メニューと併せて、前記第２メニューに移動するためのガイドの画像を出力する請求項１に記載の再生装置。
【請求項３】
前記メニュー出力部が前記第２メニューの出力へ切り換えるのを、禁止または許容する選択を受け付ける初期設定手段を備える請求項１または請求項２のいずれかに記載の再生装置。
【請求項４】
前記第１のファイルは、ＤＭＦ（DivX Media Format）ファイルである、請求項１〜３のいずれかに記載の再生装置。
【発明の詳細な説明】
【技術分野】
【０００１】
本発明は、映像ファイルの管理を行う再生装置に関する。
【背景技術】
【０００２】
従来、ＤｉｖＸ社のDivXMedia Format（ＤＭＦ）の規格に従うＤＭＦファイルを再生する再生装置が開発されている。ＤＭＦファイルは、ＤｉｖＸファイルの１種であり、再生する際にメニュー画面を表示して再生するタイトルを選択させるものをいう。このＤＭＦファイルを再生する装置は、規格上の要請から、ＤＭＦファイルの再生の指示を受けると、その映像を再生する前に必ずメニューを表示し、再生が終了すると必ずメニューに戻らなければならない。
【０００３】
従来、このような装置は、ＤＭＦファイルを一旦再生すると、ＤＭＦファイル以外の映像ファイルが混在したディスクであっても、その後、ＤＭＦファイルのみが選択できようになっていた。また、そのファイルの再生が終わると、規格どおり、ＤＭＦファイルのメニューに戻っていた。その後は、電源を入れなおさない限り、ＤＭＦファイル以外のファイルを再生できなかった。
【０００４】
一方、特許文献１の段落１０には、論理ビットを読み取り、特定の選択物を所定のときに再生させる再生装置が開示されている。また、特許文献１には、この装置をＤｉｖＸ  ＤＶＤに適用する旨の開示がされている。特許文献２の段落８には、複数のファイル形式のデータを再生する機能を示すために再生可能なファイル形式を表示し、ユーザに認識させる再生装置が開示されている。特許文献３には、各種の新しいフォーマットの画像に対応するために画像検索して、検索したファイルのリストを作成する画像検索出力方法が開示されている。
【特許文献１】特開２００７−０４９７３３公報
【特許文献２】特開２００７−０８０３５９公報
【特許文献３】特開２００２−０４９６３４公報
【発明の開示】
【発明が解決しようとする課題】
【０００５】
しかしながら、前述の規格にしたがってメニューを表示すると、ユーザにとって必ずしも使い勝手がよいものでなかった。即ち、従来の再生装置は、他のフォーマットのファイルと混在して見分けの付かない方法で、ファイルの一覧を表示していた。それにもかかわらず、従来の装置は、一旦ＤＭＦファイルを選択すると、必ず、ＤＭＦファイルの集合の再生一覧のみを示すメニューを表示する。ＤＭＦファイルの１つを再生すると、必ず、ＤＭＦファイルの集合の再生一覧のみを表示するメニューに戻る。そうすると、ＤＭＦファイルの集合のみしか再生できなくなり、ＤＭＦファイルの再生モードから抜け出せない問題があった。
【０００６】
このように、ユーザとしては、ＤＭＦファイルかどうか区別しづらい状況で、ファイルを選択しなければならない一方、ユーザがＤＭＦファイルを一旦選択すると、再生装置は、ＤＭＦファイルしか再生できないモードに入ることになり、使い勝手が必ずしもよいものでなかった。したがって、上記規格に従いつつ、使い勝手を向上することが望まれている。
【０００７】
そこで、本発明は、メニューをその映像ファイルの再生前後に表示する規格に従う映像ファイルと、他の映像ファイルと、を共存して再生する場合に、この規格に従いつつ、使い勝手のよい再生装置を提供することを目的とする。
【課題を解決するための手段】
【０００８】
上記課題を解決するために、以下の構成を備えることができる。
【０００９】
（１）  メニューを映像ファイルの再生前後に表示する規格に従う第１映像ファイルと、前記第１映像ファイル以外の第２映像ファイルと、をいずれも再生する再生部を備えた再生装置において、
映像を記憶する記録媒体を検索して、前記第１映像ファイルと前記第２映像ファイルとを振り分けて予め管理するファイル管理部と、
前記ファイル管理部のファイルの管理に基づき、前記前記第１映像ファイルの一覧である第１メニューと、前記第２映像ファイルの一覧である第２メニューと、を出力するメニュー出力部と、を備え、
前記メニュー出力部は、前記第１メニューを出力している間には、所定の操作を受けて、前記第２メニューの出力へのメニュー切換を行う一方、前記再生部が第１映像ファイルを再生している間には、前記メニュー切換をしない。
【００１０】
この構成では、第１映像ファイルと、第２映像ファイルとを、第１メニュー、第２メニューに振り分けて管理するから、ユーザが容易に区別することができ、ユーザの意思に反して、第１映像ファイルを選択することがない。また、仮に、第１映像ファイルを選択して、第１メニューが表示されたとしても、メニューを表示している間に、所定の操作により第２メニューに移動する。したがって、一旦、第１メニューが表示された後に第１映像ファイルしか再生できないという不具合は生じない。さらに、第１映像ファイルについては、第１メニューを映像ファイルの再生前後に表示する規格に従うが、映像ファイルの再生時には、第２メニューに移動しないのでこの規格には反しない。
【００１１】
以上より、第１映像ファイルの規格に適合しつつ、第１映像ファイルかどうか容易に判別できると共に、第１映像ファイルを再生した後に、第２映像ファイルが再生できないといった問題を解消できる。したがって、この構成によれば、上記規格に従う第１映像ファイルを再生する装置の使い勝手を向上させることができる。
【００１２】
（２）  前記メニュー出力部は、前記第１メニューと併せて、前記第２メニューに移動するためのガイドの画像を出力する。
【００１３】
この構成では、ガイドの画像を表示するので、ユーザは、第２メニューに移動可能であることを容易に視認できる。
【００１４】
（３）  前記メニュー出力部が前記第２メニューの出力へ切り換えるのを、禁止または許容する選択を受け付ける初期設定手段を備える。
【００１５】
この構成では、初期設定手段により、前記第２メニューの出力へ切り換えを禁止するモード設定が可能であって、ユーザ設定により、オプションとして前記第２メニューの出力へ切り換えることができる。したがって、上記の規格に厳格に適合するモードを備えているから、規格に適合しつつ、再生装置の使い勝手を向上させることができる。
【００１６】
（４）  前記第１のファイルは、ＤＭＦ（DivX Media Format）ファイルとすることができる。
【発明の効果】
【００１７】
本発明によれば、上記規格に従う映像ファイルを検索して振り分けるので、ユーザが意に反してこの映像ファイルを選択して再生することがない。仮にこれを選択しても、別のファイルメニューへの移動を受け付けるので、ほかのファイルを再生できる。
【発明を実施するための最良の形態】
【００１８】
図１は、この発明の実施形態である再生装置の主要部の構成を示すブロック図である。再生装置１は、読取部３、デコーダ４、ＯＳＤ合成部５、出力部６、操作部７、制御部９を備えている。再生装置１は、記録媒体１０に記録されているファイルを再生する装置である。例えば、再生装置１は、ＭＰ３プレーヤ等の固体メモリプレーヤ、映像信号を出力可能なＣＤプレーヤ、ＤＶＤプレーヤ、ＤＶＤレコーダ、ハードディスクレコーダとすることができる。ここでのファイルとは、音声ファイル、映像ファイル、静止画ファイルを総称するものとするが、必ずしも、特定の名称が付けられているものに限らない。
【００１９】
記録媒体１０は、本体に内蔵されているハードディスクであってもよいし、本体に対して着脱自在のＤＶＤ、ＢＤ等（ＤＶＤ−ＲＯＭ等再生専用のものを含む。）の光ディスクや、フラッシュメモリであってもよい。また、これら以外でも、複数のタイトルが予め記録されているファイルを再生できればよく、必ずしも、再生装置１が映像信号をファイルに記録できることを要しない。
【００２０】
読取部３は、記録媒体１０に記録されているデータを読み取り、その読取信号をデコーダ４に出力する。例えば、記録媒体１０がハードディスクであれば、読取部３は、ハードディスクドライブである。また、記録媒体１０がメモリーカードであれば、読取部３は、メモリーカードリーダである。記録媒体１０がＤＶＤ等の光ディスクであれば、読取部３は、光ディスクドライブである。光ディスクドライブは、ＤＶＤ１０にレーザ光を照射し、その反射光を検出するピックアップヘッド（不図示）や、ＤＶＤ１０に照射しているレーザ光の照射位置を制御するフォーカスサーボ制御やトラッキングサーボ制御等を行うサーボ制御部（不図示）等を有している。これらの構成により、光ディスクドライブは、光ディスクを読み出す。
【００２１】
記録媒体１０に記録されているタイトルのデータは、ＤＭＦファイルのほか、例えば公知のＭＰＥＧ２、ＭＰＥＧ３、ＷＡＶ形式でエンコードされている。
【００２２】
デコーダ４は、読取部３が出力した読取信号から、音声データと、映像データを互いに分離する。また、デコーダ４は、これらのデータをデコードして出力する。デコーダ４は映像データをＯＳＤ合成部５に出力する。また、デコーダ４は、音声データを出力部６に出力する。
【００２３】
ＯＳＤ合成部５は、制御部９からコマンドを受けて、文字、キャラクタ等のＯＳＤ（On-Screen Display）を合成して出力部６に出力する。ＯＳＤ合成部５は、これらを出力するため、テンプレートのＯＳＤ５１を複数記憶している。例えば、文字、図形のほか、後述する図２に示すようなメニュー、初期設定のメニューを記憶している。デコーダ４から映像信号が出力されている場合には、この映像信号とＯＳＤ（On-Screen Display）を合成し、出力部６に出力する。また、この映像信号の出力を禁止して、ＯＳＤのみを出力してもよい。例えば、再生ファイルのリストを表示するときは、ＯＳＤのみを出力するようにしてもよい。
【００２４】
なお、以下では、ＯＳＤ合成部５からメニューを合成しその画像を出力することを単に「メニューの出力」、「メニューを出力する」と称する。
【００２５】
出力部６は、映像信号と音声信号とを同期させて出力する。出力部６の出力としては、ＲＣＡピンケーブルを介してＤ／Ａ変換をしてもよいし、ＨＤＭＩ端子等を介してデジタルで送信してもよい。
【００２６】
操作部７は、再生装置１の本体に設けられた操作子７１（選択キー７２、決定キー７３を含む。）や、リモコン７５（選択キー７６、決定キー７７を含む。）から送信されてきた制御コードを受信するリモコン受光部７４を有している。操作部７は、ユーザが操作した操作子７１の入力操作や、リモコン受信部７４で受信した制御コードを制御部９に出力する。制御部９は、操作部７からの信号出力により、装置本体に対するユーザの操作を判断する。
【００２７】
制御部９は、マイコンで構成し、ＣＰＵ、ＲＡＭ、制御データ格納用のＲＯＭを備える。制御部９は、操作部８で受け付けた操作入力に基づいて、以上で示した装置のうち３〜８の各部の動作を制御する。また、制御部９のＲＯＭは、管理処理９１、メニュー出力処理９２、再生処理９３を実行するためのサブルーチンを記憶している。
【００２８】
フラッシュメモリ９９は、不揮発性メモリであり、各種の制御情報を記憶する。例えば、装置の状態、装置に設定情報を記憶する初期設定のデータを記憶している。この記憶は、操作部７から所定の操作を受けて、初期設定モードに入り、初期設定のメニューを表示し、ユーザから再生装置１の設定を受け付けた場合に行う。このメニューの所定の動作に従って所定の設定がなされた場合には、制御部９は、この設定をフラッシュメモリ９９に記憶する。
【００２９】
図２を用いて、管理処理９１について説明する。制御部９は、再生装置１の起動時、または、ファイルのメニューを表示することが指示された場合に、再生処理９３を以下のように実行する。即ち、制御部９は、記録媒体１０からファイルを検索して、総数を把握する。その後、記録媒体１０内のファイルについて、第１映像ファイル（ＤＭＦファイル）１０５かどうか判断する（以下このファイルを単に第１映像ファイル１０５またはＤＭＦファイルと称する。）。その判断方法としては、ファイル構造内部の“ＭＥＮＵ”チャンクのVersionIDが１の場合には、ＤＭＦファイルであると判断することができる。なお、拡張子で判断してもよいが、VersionIDを判断した方が、より確実にＤＭＦファイルかどうか判断できる。
【００３０】
このようにして、制御部９は、管理処理９１を実行することにより、第１映像ファイル１０５と、第２映像ファイル（ＤＭＦファイル以外のファイル）１０６とを振り分けて管理する。管理の方法としては、フォルダで分けてもよいし、ファイル名に基づいて、関連付けるリストを作成してもよい。
【００３１】
図３を用いて、再生装置１を起動したとき、または、再生装置１のファイルの再生が指示されたときに表示器１０２に表示する第１メニュー５１１、第２メニュー５１２について説明する。再生の際には、予め、表示器１０２には、図３（Ａ）の第１メニュー５１１、図３（Ｂ）の第２メニュー５１２のいずれかを表示して、ファイルの選択を操作部７から受け付ける。
【００３２】
第１メニュー５１１について説明する。図３（Ａ）に示すように、第１メニュー５１１のファイル選択欄５４には、ＤＭＦファイル１０５の一覧を６つのサムネイル５４１〜５４６の形式の画像で表示する。このようにサムネイルで表示するのは、ＤＭＦファイル１０５には、メニュー画面の情報が付加されているので、その表示が容易であるからである。また、このようにすれば、ユーザが映像ファイルを把握するのに便利である。
【００３３】
第１メニュー５１１には、管理処理９１で振り分けたＤＭＦファイルのみを表示する。ユーザが操作部７の選択キー７２または選択キー７６から選択して、決定キー７３または決定キー７７を押すと、選択したファイルの再生を開始する。再生が終わると、また第１メニュー５１１に戻る。
【００３４】
このようにメニューに戻るのは、ＤＭＦファイル１０５の規格上定められているからである。ＤＭＦファイル１０５の再生中は、ＤＭＦファイル１０５以外のファイルを再生することが、規格上できない。しかし、ＤＭＦの第１メニュー５１１を表示している間に、他のファイルの再生に移動することは、「ファイルの再生前後にメニューを表示する」という規格に反しないと考えられる。
【００３５】
そこで、本実施形態での再生装置１は、ユーザが操作部７の選択キー７２または選択キー７６で選択することにより、ノーマルファイル（Normal File）５２と、ＤＭＦファイル５３の選択を受け付ける。ここで、図３（Ａ）のノーマルファイル（Normal File）５２、ＤＭＦファイル５３は、第１メニュー５１１、第２メニュー５１２を選択するためのガイドであり、ノーマルファイル（Normal File）５２を選択している間に、ユーザが決定キー７３、７７のいずれかを押すと、第２メニュー５１２に移動する。なお、ノーマルファイル（Normal File）５２と、ＤＭＦファイル５３のメニューの選択は、例えば、リモコンの十字キーの上ボタンを何度か押していくことにより、受け付けるようにしてもよい。
【００３６】
図３（Ｂ）の第２メニュー５１２について説明する。第２メニュー５１２には、ＤＭＦファイル以外のファイルの一覧をファイル選択欄５４に表示する。この表示の方法としては、図３のように、ファイル名の一覧を表示してもよいし、図３（Ａ）と同様に、サムネイルで表示してもよい。また、第２メニュー５１２のＤＭＦファイル５３を選択すると、第１メニュー５１１に移動する。
【００３７】
以上説明した実施形態の再生装置１によれば、これらのメニュー５１１、５１２は、操作部７の操作により、相互に切換可能となっている。このように構成しているので、従来のように、ＤＭＦファイル１０５が選択された後、ＤＭＦファイル１０５のみしか再生できないという不具合を回避できる。第２メニュー５１２への移動は、前述のとおり、メニュー５１１を表示している間にのみ受け付けるで、再生後メニューに戻らなければならないという規格には反しない。
【００３８】
さらに、より厳格にその規格に従うためには、ＯＳＤ合成部５が再生装置１の初期設定画面を表示させて、その設定を受け付けるようにすればよい。具体的には、従来のように、ＤＭＦファイルの再生に入った場合に、その後ＤＭＦファイルしか再生しないモードと、ＤＭＦファイルのメニュー画面から別のファイルに移動可能にする本実施形態のモードとをユーザに選択させるようにすればよい。このようにすると、装置１は、規格を遵守するモードを備えながら、ユーザの選択によりオプションモードを備えているので、より厳格に規格に従うことができる。さらに、ＤＭＦファイル１０５か否かを振り分けて表示するので、ユーザが意に反してＤＭＦファイルを選択するという虞を回避できる。
【００３９】
次に図４のフロー図を用いて、装置１の管理処理９１について説明する。この処理は、ディスクを起動したときか、ディスクメニューの起動時に行う。映像データをハードディスクに入れて管理しているときは、再生装置１の起動時に管理処理９１を行う。
【００４０】
ＳＴ１では、制御部９は、記録媒体１０（例えばＤＶＤ、ハードディスク）を認識する。
ＳＴ２では、ディスク内のトラックの総数をカウントする。ここでの説明では、この総数を整数ｎとする。繰り返し数を数える変数（これをｉとする）を用いて、以下のＳＴ３〜ＳＴ６のステップを、ｉ＝０からｎ−１まで繰り返す。
【００４１】
ＳＴ３では、トラック番号ｉのファイルがＤＭＦファイルかどうか判断する。トラック番号ｉのファイルがＤＭＦファイルと判断すれば（ＳＴ３のＹＥＳ）、ＳＴ４で、ＤＭＦファイル１０５のファイルリストに登録する。またはＤＭＦファイル１０５のフォルダを作成し、トラック番号ｉのファイルをこれに格納してもよい。
【００４２】
ＳＴ３で、トラック番号ｉのファイルがＤＭＦファイルでないと判断すれば（ＳＴ３のＮＯ）、ＳＴ５では、第２映像ファイル１０６のリストへ登録する。または第２映像ファイル１０６のフォルダを作成し、トラック番号ｉのファイルをこれに格納してもよい。
【００４３】
ＳＴ６で、トラック番号ｉをインクリメントし、次のトラック番号のファイルについて、ＳＴ３〜ＳＴ５を実行する。これらの処理をiがｎに満たない限り（ＳＴ７のｎｏ）繰り返し、図２に示すように、ＤＭＦファイル１０５、第２映像ファイル１０６に振り分ける。その後、i＝ｎになると（ＳＴ７のＹＥＳ）、このフローは終了する。
【００４４】
次に図５のフロー図を用いて、制御部９が行うメニュー出力処理９２について説明する。
ＳＴ１１で、第２メニュー５１２を出力する。
ＳＴ１２で、第１メニューのガイド（図３のＤＭＦファイル５３）が選択されたか否か判断する。これが選択された場合には（ＳＴ１２のＹＥＳ）、ＳＴ１３で、第１メニューに切り換えて出力する。そうでない場合には（ＳＴ１２のＮＯ）、ＳＴ１４で、第２メニュー５１２から、第２映像ファイル１０６の再生の選択を受け付ける。ここで、再生するファイルが選択された場合には、ＳＴ１５で第２映像ファイル１０６を再生する。そして、その再生が終了すると、ＳＴ１２に戻り、第２メニュー５１２を表示する。
【００４５】
ＳＴ１６で、第１メニュー５１１から、第１映像ファイル１０５の再生の選択を受け付ける。ここで、再生するファイルが選択された場合には、ＳＴ１７で第２映像ファイル（ＤＭＦファイル）１０６を再生する。
【００４６】
ＳＴ１８で、第２メニュー５１２の表示を事実上禁止する。これにより、再生中に他のメニューに移動することがないから、再生後に必ず第１メニュー５１１を表示するという規格に適合することができる。
【００４７】
ＳＴ１８で、第２メニュー５１２の表示を禁止するには、例えば２つの方法がある。１つには、所定のフラッシュメモリ９９内の設定データに禁止フラグを予め記憶しておくことができる。この場合には、第２メニュー５１２を表示するメニュー出力処理９２のサブプログラムを実行する際にこの禁止フラグを参照して、第２メニュー５１２の表示が禁止されているかどうかを決定する。
【００４８】
また、第２の方法としては、第２メニュー５１２に移動するノーマルファイル（Normal File）５２、ＤＭＦファイル５３のガイド（図３参照。）の表示がある場合にのみ、移動するためのキー操作を受け付けるようにしておくことができる。この構成では、再生中には、このガイドを表示しないので、事実上、再生中に第２メニュー５１２への切換をユーザから受け付けることがない。したがって、この方法でも、再生終了後には、必ず第１メニュー５１１に戻ることができる。
【００４９】
ＳＴ１８の後、ＳＴ１９で、第１映像ファイル１０５の再生が終了したかどうか判断する。このファイルの再生が終了した場合には（ＳＴ１９のＹＥＳ）、ＳＴ２０に移動する。このファイルの再生が終了していない場合には、ＳＴ１７で、このファイルの再生を継続する。
【００５０】
ＳＴ２０では、再生が終了しているので、規格どおり第１メニューを表示する。
ＳＴ２１では、第２メニュー５１２の選択を受け付ける。第２メニュー５１２の選択を受け付けた場合には（ＳＴ２１のＹＥＳ）、ＳＴ１１に戻り、第２メニュー５１２を表示する。この選択がされない場合には（ＳＴ２１のＮＯ）、ＳＴ１６に移動する。
【００５１】
なお、ＳＴ１２、ＳＴ１９では、装置１は、再生できるファイルのメニューを表示しており、これらのステップと同時にＳＴ１４、ＳＴ１６のファイルの再生を受け付けている。したがって、制御部９が、操作部７の入力を判断する順序は同時でも良く、逆順でもよい。また、図５のフローは無限ループになっているが、もちろん、このループから抜け出すための入力を操作部７から受け付けてもよい。ただし、ＳＴ１７で、第１映像ファイル１０５の再生中には、上記規格に反しないようにする必要がある。
【００５２】
以上の実施例について補足する。
【００５３】
以上の図１の説明では、機能ごとに分離したブロックで説明したが、実装上は、これらの機能のうち、いずれかが複数の機能が一体となった構成、例えば、システムＩＣで構成してもよいし、一つのブロックを複数に分離して構成してもよい。また、図１に示すブロック内の一部の機能が、別のブロックの一部の機能と一体になっていてもよい。
【００５４】
また、以上の説明では、決定キー７３等を使用したが、選択キー７２を十字キーとして、縦方向のアップダウンキーを選択移動キー、横方向を決定キーの代わりに用いてもよい。
【００５５】
また、操作部７としては、リモコン受光部７４およびリモコン７５、あるいは、操作子７１のいずれか１以上を備えていればよく、いずれをも備える必要はない。さらには、リモコン、本体操作子に限らず、少なくとも１つ以上の操作部で操作できればよく、複数の操作部を設ける必要はない。さらには、操作を受け付けることができればよく、その方法は問わない。操作子７１、リモコン７５については、接触式、ボタン式、その他検出できるものであればなんでもよい。操作部７としては、メニューの選択と、選択した事項の決定ができればよい。
【００５６】
フラッシュメモリ９９については、制御部９のマイコンに付属のものでもよく、制御部９の外部に接続されているものでもよい。フラッシュメモリ９９の代わりに、記録媒体１０に記憶していてもよい。フラッシュメモリ９９は、直接制御部９に接続されていなくても、間接的に制御部９がアクセスできればよい。また、上記した初期設定を記憶する構成をとらなければ、フラッシュメモリ９９は、必ずしも必要がない。
【００５７】
以上では、第１映像ファイルとしてＤＭＦファイルを説明として用いた。しかし、ＤＭＦファイル以外であっても、「再生中は、他のファイルの選択を禁止し、再生後にメニューを表示する」という規格に従うファイルを再生する装置であれば、以上の実施形態を適用できる。
【００５８】
第２メニュー５１２では、第２映像ファイル以外に、音声ファイルを表示してもよい。この場合には、第１映像ファイルと、音声ファイルを区別して管理することができる。
【００５９】
図２では、第２映像ファイル（ＤＭＦファイル以外のファイル）１０６として、ａｖｉファイルを示したが、必ずしもaviでなくてもよく、ｗｍｖ、ｍｐ４等の映像ファイルのほかｍｐ３、ｗａｖなどの音声ファイルでもよい。
【００６０】
図３（Ａ）では、サムネイル画像を６個表示しているが、もちろん６個に限らず、それ以上でもそれ未満でもよい。図３（Ａ）、図３（Ｂ）で示したメニューは一例であり、ファイルが選択できるようにメニューが構成されていれば良く、一覧表示、アルファベット順、かな順等の階層表示等、どのようなものでもよい。また、第２メニュー５１２については、さらに、ファイル形式（ｗｍｖ、ｍｐ４、ｍｐ３、ｗａｖ等）ごとに分類していてもよい。第２メニュー５１２、第１映像ファイル１０５と、第２映像ファイル１０６とが分類したメニューが表示され、それぞれでファイルが選択できればよい。
【００６１】
図５のフローでは、最初のＳＴ１１で、第２映像ファイル１０６を表示するとしているが、ここでは、第１映像ファイル１０５の一覧を表示してもよい。これらを振り分けて表示できればよい。
【図面の簡単な説明】
【００６２】
【図１】本発明の実施形態の再生装置の構成図である。
【図２】本発明の実施形態の再生装置の管理処理を説明する図である。
【図３】本発明の実施形態の再生装置のメニュー出力処理で出力するメニューを表わす図である。
【図４】本発明の実施形態の再生装置の管理処理を表わすフロー図である。
【図５】本発明の実施形態の再生装置のメニュー出力処理を表わすフロー図である。
【符号の説明】
【００６３】
１−再生装置、  ３−読取部、  ４−デコーダ、  ５−ＯＳＤ合成部、
５１−ＯＳＤデータ、  ５１１−第１メニュー、  ５１２−第２メニュー、
５２−ノーマルファイル（Normal File）、  ５３−ＤＭＦファイル、
５４−ファイル選択欄、  ６−出力部、
７−操作部、  ７１−操作子、  ７２−選択キー、  ７３−決定キー、
７４−リモコン受光部、  ７５−リモコン、  ７６−選択キー、  ７７−決定キー、
９−制御部、  ９０−ＲＯＭ、
９１−管理処理、  ９２−メニュー出力処理、
９３−再生処理、９９−フラッシュメモリ、
１０−記録媒体、  １０１−スピーカ、  １０２−表示器
１００−映像ファイル、  １０５−第１映像ファイル（ＤＭＦファイル）、
１０６−第２映像ファイル（ＤＭＦファイル以外のファイル）、
【図１】
2009105743.tif 000003
【図２】
2009105743.tif 000004
【図３】
2009105743.tif 000005
【図４】
2009105743.tif 000006
【図５】
2009105743.tif 000007